(57)【要約】【課題】並列に接合されるプレキャスト合成床版同士を、一方向におけるプレキャスト合成床版の移動により、他のプレキャスト合成床版との接合を可能にする。【解決手段】梁と梁との間に架け渡されるプレキャスト合成床版１００においてコンクリート構造部１１０と一体化されているプレキャスト合成床版用のデッキプレート１は、コンクリート構造部１１０が載置される本体部１０と、梁と梁との間を延在する本体部１０の一方の縁部１１に隣り合うプレキャスト合成床版１００と係合する第１係合部２０と、梁と梁との間を延在する本体部１０の他方の縁部１２に第２係合部２０とを備え、梁と梁との間に架け渡されている一のプレキャスト合成床版１００に、他のプレキャスト合成床版を鉛直方向から降下させると、一のプレキャスト合成床版における第２係合部２０及び他のプレキャスト合成床版１００の第１係合部２０が互いに係合して、一及び他のプレキャスト合成床版１００同士が連結される。【選択図】図３
2020186569.tif 000002
【特許請求の範囲】
【請求項１】
梁と梁との間に架け渡されるプレキャスト合成床版においてコンクリート構造部と一体化されているプレキャスト合成床版用のデッキプレートであって、
前記コンクリート構造部が設けられる本体部と、
梁と梁との間を延在する前記本体部の一方の縁部に隣り合うプレキャスト合成床版と係合する第１係合部と、
梁と梁との間を延在する前記本体部の他方の縁部に隣り合うプレキャスト合成床版と係合する第２係合部と、
を備え、
梁と梁との間に架け渡されている一の前記プレキャスト合成床版のコンクリート構造部の端面に、他の前記プレキャスト合成床版のコンクリート構造部の端面を沿わせて降下させると、前記一のプレキャスト合成床版における前記第２係合部と前記他のプレキャスト合成床版の前記第１係合部とが互いに係合して、前記一及び他のプレキャスト合成床版同士が連結されることを特徴とするプレキャスト合成床版用のデッキプレート。
【請求項２】
梁と梁との間に架け渡されるプレキャスト合成床版においてコンクリート構造部と一体化されているプレキャスト合成床版用のデッキプレートであって、
前記コンクリート構造部が設けられる本体部と、
梁と梁との間を延在する前記本体部の一方の縁部に隣り合うプレキャスト合成床版と係合する第１係合部と、
梁と梁との間を延在する前記本体部の他方の縁部に隣り合うプレキャスト合成床版と係合する第２係合部と、
を備え、
両係合部の係合時に、一方の係合部は、他方の係合部の縦方向、横方向の少なくとも一つの移動を規制することを特徴とするプレキャスト合成床版用のデッキプレート。
【請求項３】
前記第１係合部及び前記第２係合部は、係合時に、一方の端部が他方の端部よりも下方に位置すると共に、互いの端部が隣接するプレキャスト合成床版の端面に平行な平面を挟んだ位置となるように形成されていることを特徴とする請求項１又は２に記載のプレキャスト合成床版用のデッキプレート。
【請求項４】
前記第１係合部は、縦方向に延びる受容部と、横方向に膨らむ膨出部と、を有し、
前記第２係合部は、前記受容部に縦方向に挿入される挿入部と、横方向に膨らむ膨出部と、を有することを特徴とする請求項１又は２に記載のプレキャスト合成床版用のデッキプレート。
【請求項５】
前記第１係合部は、横方向に延びる受容部と、縦方向に膨らむ膨出部と、を有し、
前記第２係合部は、前記受容部に横方向に挿入される挿入部と、縦方向に膨らむ膨出部と、を有することを特徴とする請求項１又は２に記載のプレキャスト合成床版用のデッキプレート。
【請求項６】
前記第１係合部は、縦方向に延びる受容部と、前記第２係合部に対向する位置に形成された目粗し部と、を有し、
前記第２係合部は、前記受容部に縦方向に挿入される挿入部と、前記目粗し部に対向する位置に形成された第２目粗し部と、を有することを特徴とする請求項１又は２に記載のプレキャスト合成床版用のデッキプレート。
【請求項７】
請求項１から６までのいずれか一項に記載のデッキプレートと、
前記デッキプレートと一体化されたコンクリート構造部と
を備えることを特徴とするプレキャスト合成床版。
【発明の詳細な説明】
【技術分野】
【０００１】
本発明は、合成床版用のデッキプレート及び合成床版に関する。
【背景技術】
【０００２】
従来より、Ｈ形鋼やＩ形鋼等の梁と梁との間に架け渡されるように載置するプレキャストスラブ（プレキャスト合成床版）が知られている。プレキャスト合成床版は、所定の大きさのデッキプレートと、配筋された溶接金網等と、デッキプレート上に打設されたコンクリートとが一体化されて構成されている。このようなプレキャスト合成床版の相互が並列に接続する両側幅方向の端面は、一方に凸部、他方に凹部が付与されており、並べるときには、隣接するプレキャスト合成床版同士の間で凸部と凹部が嵌め合わされる（例えば、特許文献１参照。）。
【先行技術文献】
【特許文献】
【０００３】
【特許文献１】実公平６−２２０１７号公報
【発明の概要】
【発明が解決しようとする課題】
【０００４】
ところで、特許文献１に記載したプレキャスト合成床版を梁と梁との間に架け渡しながら並列に敷き詰める場合、プレキャスト合成床版をクレーンにより吊る必要がある。梁に既に架け渡されたプレキャスト合成床版に対して、新たなプレキャスト合成床版を並置する場合、クレーンにより吊られた状態のプレキャスト合成床版を、架け渡されているプレキャスト合成床版の側方下方に降ろしながら、作業員が凹部と凸部とが嵌まり合うようにプレキャスト合成床版を側方に移動させる必要があった。
【０００５】
しかしながら、昨今、オペレータ操作又は自動制御されたクレーンによる作業の一元化による作業の効率化を図りたいという要望がある。クレーン操作のみによって、隣り合うプレキャスト合成床版同士を接合する作業は困難であり、最終的に作業員によりプレキャスト合成床版同士の位置合わせを行わなければならない。
【０００６】
そこで、本発明は、上記課題に鑑みてなされたものであり、並列に連結されるプレキャスト合成床版同士を、一方向における一のプレキャスト合成床版の移動により、他のプレキャスト合成床版との連結を可能にする技術を提供することを目的とする。
【課題を解決するための手段】
【０００７】
上記課題を解決するために、本発明に係る梁と梁との間に架け渡されるプレキャスト合成床版においてコンクリート構造部と一体化されているプレキャスト合成床版用のデッキプレートは、前記コンクリート構造部が設けられる本体部と、梁と梁との間を延在する前記本体部の一方の縁部に隣り合うプレキャスト合成床版と係合する第１係合部と、梁と梁との間を延在する前記本体部の他方の縁部に隣り合うプレキャスト合成床版と係合する第２係合部と、を備え、梁と梁との間に架け渡されている一の前記プレキャスト合成床版のコンクリート構造部の端面に、他の前記プレキャスト合成床版のコンクリート構造部の端面を沿わせて降下させると、前記一のプレキャスト合成床版における前記第２係合部と前記他のプレキャスト合成床版の前記第１係合部とが互いに係合して、前記一及び他のプレキャスト合成床版同士が連結されることを特徴とする。
【０００８】
さらに、上記課題を解決するために、本発明に係る梁と梁との間に架け渡されるプレキャスト合成床版においてコンクリート構造部と一体化されているプレキャスト合成床版用のデッキプレートは、前記コンクリート構造部が設けられる本体部と、梁と梁との間を延在する前記本体部の一方の縁部に隣り合うプレキャスト合成床版と係合する第１係合部と、梁と梁との間を延在する前記本体部の他方の縁部に隣り合うプレキャスト合成床版と係合する第２係合部と、を備え、両係合部の係合時に、一方の係合部は、他方の係合部の縦方向、横方向の少なくとも一つの移動を規制することを特徴とする。
【０００９】
また、前記第１係合部及び前記第２係合部は、係合時に、一方の端部が他方の端部よりも下方に位置すると共に、互いの端部が隣接するプレキャスト合成床版の端面に平行な平面を挟んだ位置となるように形成されていてもよい。
【００１０】
また、前記第１係合部は、縦方向に延びる受容部と、横方向に膨らむ膨出部と、を有し、前記第２係合部は、前記受容部に縦方向に挿入される挿入部と、横方向に膨らむ膨出部と、を有していてもよい。
【００１１】
また、前記第１係合部は、横方向に延びる受容部と、縦方向に膨らむ膨出部と、を有し、前記第２係合部は、前記受容部に横方向に挿入される挿入部と、縦方向に膨らむ膨出部と、を有していてもよい。
【００１２】
また、前記第１係合部は、縦方向に延びる受容部と、前記第２係合部に対向する位置に形成された目粗し部を有し、前記第２係合部は、縦方向に挿入される挿入部と、前記目粗し部に対向する位置に形成された第２目粗し部と、を有していてもよい。
【発明の効果】
【００１３】
本発明により、並列に接合されるプレキャスト合成床版同士を、一方向におけるプレキャスト合成床版の移動により、他のプレキャスト合成床版との接合が可能になる。
【図面の簡単な説明】
【００１４】
【図１】本発明の第１の実施の形態に係るプレキャスト合成床版の構成を説明するための斜視図である。
【図２】第１の実施の形態に係るデッキプレートの構成を説明するための図である。
【図３】プレキャスト合成床版同士を連結する工程を示す図である。
【図４】本発明の第２の実施の形態に係るプレキャスト合成床版の構成を説明するための斜視図である。
【図５】プレキャスト合成床版同士を連結する工程を示す図である。
【図６】本発明の第３の実施の形態に係るプレキャスト合成床版の構成を説明するための斜視図である。
【図７】プレキャスト合成床版同士を連結する工程を示す図である。
【図８】本発明の第４の実施の形態に係るプレキャスト合成床版の構成を説明するための斜視図である。
【図９】プレキャスト合成床版同士を連結する工程を示す図である。
【発明を実施するための形態】
【００１５】
以下に、本発明の実施の形態について、図面を参照しながら説明する。
【００１６】
本発明に係るデッキプレートは、工場で製作されるプレキャスト合成床版用のデッキプレートである。プレキャスト合成床版は、構造物の建築現場において梁と梁との間に架け渡される。本発明に係るデッキプレート１は、工場又は建設現場において製作される（フル）プレキャスト合成床版１００に適用される。
【００１７】
（第１の実施の形態）
図１は、本発明の第１の実施の形態に係るプレキャスト合成床版１００の構成を説明するための斜視図である。プレキャスト合成床版１００は、梁と梁との間に架け渡される。複数のプレキャスト合成床版１００が梁の延び方向（幅方向）に交差する方向に並列に架け渡される。幅方向に配置されたプレキャスト合成床版１００同士は、互いに連結されている。プレキャスト合成床版１００は、デッキプレート１と、コンクリート構造部１１０と、配筋部１２０と、を備える。プレキャスト合成床版１００は、工場で製作されており、デッキプレート１、コンクリート構造部１１０及び配筋部１２０は互いに一体に接合されている。
【００１８】
プレキャスト合成床版１００は、後述するデッキプレート１の上に鉄筋を配筋して配筋部１２０を構成した後、デッキプレート１の周囲に型枠を設けて、コンクリート材を打設して硬化させることにより、コンクリート構造部１１０を形成する。これにより、デッキプレート１とコンクリート構造部１１０と配筋部１２０とが一体になったプレキャスト合成床版１００が製造される。
【００１９】
プレキャスト合成床版１００は、底面部１０１と、上面部１０２と、一対の側面部１０３，１０４とを有する。底面部１０１は、デッキプレート１が設けられている側の部分であり、デッキプレート１の形状に対応している。上面部１０２は、デッキプレート１とは反対側に面する部分であり、デッキプレート１と接していない側のコンクリート構造部１１０の上面の部分である。側面部１０３，１０４は、プレキャスト合成床版１００の幅方向Ｗに面する部分であり、互いに略平行を成す部分を有する。側面部１０３，１０４は、底面部１０１及び上面部１０２に対して斜めに又は垂直に形成されている。側面部１０３，１０４は、コンクリート構造部１１０の側面の部分である。
【００２０】
本発明に係るデッキプレート１は、以上のようなプレキャスト合成床版１００に適用される。デッキプレート１は、プレキャスト合成床版１００においてコンクリート構造部１１０と、配筋部１２０と一体に接合されており、幅方向Ｗにおいて隣に敷き込まれるプレキャスト合成床版１００のデッキプレート１と係合して、プレキャスト合成床版１００同士を連結する。
【００２１】
デッキプレート１は、梁と梁との間に架け渡されるプレキャスト合成床版１００においてコンクリート構造部１１０と一体化されており、コンクリート構造部１１０が設けられる本体部１０と、梁と梁との間を延在する本体部１０の一方の縁部１１に隣り合うプレキャスト合成床版１００と係合する係合部（第１係合部）２０と、梁と梁との間を延在する本体部１０の他方の縁部１２に係合部（第２係合部）３０と、を備え、梁と梁との間に架け渡されている既設のプレキャスト合成床版１００のコンクリート構造部１１０の側面部（端面）１０４に、新たなプレキャスト合成床版１００のコンクリート構造部１１０の側面部（端面）１０３を沿わせて降下させると、既設のプレキャスト合成床版１００における第２係合部３０と他のプレキャスト合成床版１００の第１係合部２０とが互いに係合して、一及び他のプレキャスト合成床版同士が連結される。また、本発明によれば、両係合部２０，３０の係合時に、一方の係合部２０は、他方の係合部３０の縦方向、横方向の少なくとも一つの移動を規制する。以下、デッキプレート１の構成について具体的に説明する。図２は、デッキプレート１の構成を説明するための図であり、図２（ａ）はデッキプレート１の一方の係合部２０を拡大した部分拡大図であり、図２（ｂ）はデッキプレート１の他方の係合部３０を拡大した部分拡大図である。コンクリート構造部１１０の側面部１０３は、係合部２０の形状に基づいて、他の側面部１０４に沿った一定の角度の部分を有する。
【００２２】
デッキプレート１は、本体部１０と、一対の係合部２０，３０と、を備える。本体部１０は、幅方向Ｗに沿って起伏を繰り返すように形成されている（図１参照。）。本体部１０上にコンクリート構造部１１０が設けられている。
【００２３】
一対の係合部２０，３０は、梁と梁との間に架け渡される方向（長手方向Ｌ）に沿って延びている本体部１０の一対の縁部１１，１２に設けられている。一方の縁部１１に係合部２０が設けられている。係合部２０は、側面部１０３の側に位置する。係合部２０は、立設部２１と、先端部（張出部２２及び引掛部２３）とを有する。
【００２４】
立設部２１は、本体部１０に対してコンクリート構造部１１０の上面部１０２に向かって係合部３０から離れる方向に側面部１０３に沿って延びている。先端部は、立設部２１に連続して立設部２１から本体部１０が面する側に面するように延在する。先端部は、張出部２２と引掛部２３とを有する。
【００２５】
張出部２２は、立設部２１が本体部１０に対して折り曲げられた方向とは異なる方向に折り曲げられている。張出部２２は、本体部１０とは反対側の立設部２１の端部から他の係合部３０に対して反対側に延びている。引掛部２３は、張出部２２が本体部１０に対して折り曲げられた方向と同じ方向に折り曲げられている。引掛部２３は、立設部２１とは反対側の張出部２２の端部から本体部１０に向かって円弧状に湾曲している。引掛部２３の先端の位置は、張出部２２と対向しない位置にある。
【００２６】
係合部３０は、側面部１０４の側に位置する。係合部３０は、立設部３１と、折返し部３２とを有する。立設部３１は、本体部１０に対してコンクリート構造部１１０の上面部１０２に向かって係合部２０から離れる方向に延びている。立設部３１は、側面部１０４から離れる方向に延びている。折返し部３２は、立設部３１が本体部１０に対して折り曲げられた方向と同じ方向に折り曲げられている。折返し部３２は、本体部１０とは反対側の立設部３１の端部から係合部２０に向かって、つまり側面部１０４に向かって延びている。折返し部３２の先端は、本体部１０に向かって少し傾斜している。折返し部３２の先端と側面部１０４との間には間隔Ｓ１があけられている。
【００２７】
次に、本発明に係るプレキャスト合成床版１００同士を連結する方法を説明する。図３は、プレキャスト合成床版１００同士を連結する工程を示す図であり、図３（ａ）は梁と梁との間に架け渡されているプレキャスト合成床版１００に対して、クレーンに吊られた状態にあるプレキャスト合成床版１００を降下させる図であり、図３（ｂ）は２つのプレキャスト合成床版１００が連結されて並置された状態を示す図である。プレキャスト合成床版１００同士の連結は、新たなプレキャスト合成床版１００の側面部１０３，１０４が、既設のプレキャスト合成床版１００の側面部１０３，１０４と互いに略平行をなすようにする。例えば、既設のプレキャスト合成床版１００の側面部１０４に対して、新たなプレキャスト合成床版１００の側面部１０３が略対向するように連結する。
【００２８】
クレーン操作は、吊り上げたプレキャスト合成床版１００を予め設定された位置まで水平移動させた後、鉛直方向にプレキャスト合成床版１００を降下させる。クレーンは、新たに架け渡すプレキャスト合成床版１００を、既に架け渡されたプレキャスト合成床版１００に並置する位置まで搬送し、次いで、鉛直方向に降下させる。本発明に係るプレキャスト合成床版１００は、側面部１０３，１０４が互いに略平行に傾斜しており、既設のプレキャスト合成床版１００の側面部１０４に対して、新たなプレキャスト合成床版１００の側面部１０３を沿わせて新たなプレキャスト合成床版１００を降下させる。
【００２９】
既設のプレキャスト合成床版１００に対する新たなプレキャスト合成床版１００の降下により、係合部２０の引掛部２３の先端が、他のプレキャスト合成床版１００の側面部１０４と係合部３０との間の間隔Ｓ１に入り込む。係合部２０及び係合部３０は、係合時に、係合部２０の引掛部２３の先端部が係合部３０の折返し部３２の先端部よりも下方に位置すると共に、互いの端部が隣接するプレキャスト合成床版１００の側面部１０３，１０４に略平行な平面Ｆを挟んだ位置となるように形成されている。これにより、プレキャスト合成床版１００同士の連結が完了する。この作業を所定回数繰り返して幅方向Ｗにプレキャスト合成床版１００を敷き込んでいく。
【００３０】
従来のプレキャスト合成床版におけるデッキプレートの構造では、既設のプレキャスト合成床版の隣に新たなプレキャスト合成床版を降ろすだけではプレキャスト合成床版同士は、連結されず、作業員により他のプレキャスト合成床版を横方向に移動させて、両方のデッキプレートの係合部同士を係合させる必要があった。
【００３１】
これに対して、以上のような構成のプレキャスト合成床版１００の敷き込みは、本発明に係るデッキプレート１が係合部２０，３０を備えているため、クレーン操作によりプレキャスト合成床版１００を鉛直方向（一方向）に降ろすだけで、並置されるプレキャスト合成床版１００のデッキプレート１における係合部２０，３０同士が互いに係合して、プレキャスト合成床版１００同士を簡単に連結させることができる。プレキャスト合成床版１００にデッキプレート１を用いることがクレーンを使用した施工において有意であることが分かった。これにより、従来工法のように、クレーンにより降下させられたプレキャスト合成床版を、既設のプレキャスト合成床版と連結させる作業を担う作業員を配置する必要がなくなる。
【００３２】
（第２の実施の形態）
図４は、本発明の第２の実施の形態に係るプレキャスト合成床版１００Ａの構成を説明するための斜視図である。図４（ａ）はデッキプレート１Ａの一方の係合部２０Ａを拡大した部分拡大図であり、図４（ｂ）はデッキプレート１Ａの他方の係合部３０Ａを拡大した部分拡大図である。第１の実施の形態に係るプレキャスト合成床版１００と第２の実施の形態に係るプレキャスト合成床版１００Ａは、デッキプレートの構造において異なる。以下に、プレキャスト合成床版１００Ａのデッキプレート１Ａの構成について具体的に説明する。コンクリート構造部１１０の側面部１０３は、係合部２０Ａの形状に基づいて、他の側面部１０４に沿った一定の角度の部分を有する。
【００３３】
デッキプレート１Ａは、本体部１０Ａと、一対の係合部２０Ａ，３０Ａとを有する。係合部２０Ａは、縦方向に延びる受容部２１Ａと、横方向に膨らむ膨出部２２Ａと、延出部２３Ａと、を有する。受容部２１Ａは、立設部２４Ａと、対向部２５Ａとを有する。立設部２４Ａは、本体部１０Ａに対してコンクリート構造部１１０の上面部１０２に向かって係合部３０Ａから離れる方向に側面部１０３に沿って延びている。対向部２５Ａは、立設部２４Ａが本体部１０Ａに対して折り曲げられた方向とは異なる方向に折り曲げられている。対向部２５Ａは、本体部１０Ａとは反対側の立設部２４Ａの端部から本体部１０Ａに向かって丸味を帯びて延びている。
【００３４】
対向部２５Ａは、立設部２４Ａに対して所定の間隔をあけて対向して延びている。対向部２５Ａは、立設部２４Ａに対して弾性的に接近自在に構成されている。対向部２５Ａの先端は、膨出部２２Ａに接続している。膨出部２２Ａは、側面部１０３から離れる方向に膨らんでいる。膨出部２２Ａは、プレキャスト合成床版１００Ａの長手方向Ｌに交差する断面形状が円弧状の部位であり、本体部１０Ａから離れる側に向かって凸をなしている。延出部２３Ａは、膨出部２２Ａの先端に位置し、対向部２５Ａから離れる方向に延びている。
【００３５】
係合部３０Ａは、側面部１０４の側に位置する。係合部３０Ａは、側面部１０４に対して所定の間隔Ｓ２をあけて設けられている。係合部３０Ａは、本体部１０Ａから立ち上がる立設部３１Ａと、横方向に膨らむ膨出部３２Ａと、受容部２１Ａに縦方向に挿入される挿入部３３Ａを有する。立設部３１Ａは、本体部１０Ａに対してコンクリート構造部１１０の上面部１０２に向かって側面部１０４に沿って延びている。立設部３１Ａの先端には膨出部３２Ａが接続する。膨出部３２Ａは、プレキャスト合成床版１００Ａの長手方向Ｌに交差する断面形状が円弧状の部位であり、側面部１０４に向かって膨らみ、本体部１０Ａの側に向かって凸をなしている。
【００３６】
次に、本発明に係るプレキャスト合成床版１００Ａ同士を連結する方法を説明する。図５は、プレキャスト合成床版１００Ａ同士を連結する工程を示す図であり、図５（ａ）は梁と梁との間に架け渡されているプレキャスト合成床版１００Ａに対して、クレーンに吊られた状態にあるプレキャスト合成床版１００Ａを降下させる図であり、図５（ｂ）は２つのプレキャスト合成床版１００Ａが連結されて並置された状態を示す図である。新たなプレキャスト合成床版１００Ａを降下させると、新たなプレキャスト合成床版１００Ａの側面部１０３は、既設のプレキャスト合成床版１００Ａの側面部１０４に沿わされて降りてくる。
【００３７】
既設のプレキャスト合成床版１００Ａに対する新たなプレキャスト合成床版１００Ａの降下により、係合部３０Ａの挿入部３３Ａが係合部２０Ａの立設部２４Ａと対向部２５Ａとの間で受容部２１Ａに挿入される。換言すれば、係合部２０Ａの延出部２３Ａは、その先端において他のプレキャスト合成床版１００Ａの側面部１０４に接触しながら、他のプレキャスト合成床版１００Ａの側面部１０４と係合部３０との間の間隔Ｓ２に入り込む。延出部２３Ａと膨出部２２Ａとの連結部位が、係合部３０Ａの膨出部３２Ａに接触して、係合部３０Ａは全体的に、側面部１０４から離れるように弾性的に変形する。
【００３８】
係合部２０Ａの延出部２３Ａが係合部３０Ａの膨出部３２Ａを乗り越えると、係合部３０Ａは、元の状態に戻ろうとして膨出部３２Ａにおいて係合部２０Ａの膨出部２２Ａに収容されるようになる。この状態において、係合部３０Ａの立設部３１Ａは、係合部２０Ａの対向部２５Ａを他のプレキャスト合成床版１００Ａの側面部１０４に押し付けている。これにより、プレキャスト合成床版１００Ａ同士の連結が完了する。この作業を所定回数繰り返して幅方向Ｗにプレキャスト合成床版１００Ａを敷き込んでいく。
【００３９】
以上のような構成のプレキャスト合成床版１００Ａによれば、第１の実施の形態に係るプレキャスト合成床版１００と同様の効果を奏するだけでなく、係合部３０Ａは、係合部２０Ａによってクランプされているので、プレキャスト合成床版１００Ａ同士の連結がより強固になる。係合部２０Ａ，３０Ａの係合時に、係合部２０Ａ，３０Ａの膨出部２２Ａ，３２Ａは、縦方向の移動を規制し、係合部２０Ａの受容部２１Ａへの係合部３０Ａの挿入部３３Ａの挿入により、横方向の移動が規制される。
【００４０】
（第３の実施の形態）
図６は、本発明の第３の実施の形態に係るプレキャスト合成床版１００Ｂの構成を説明するための斜視図である。図６（ａ）はデッキプレート１Ｂの一方の係合部２０Ｂを拡大した部分拡大図であり、図６（ｂ）はデッキプレート１Ｂの他方の係合部３０Ｂを拡大した部分拡大図である。第１の実施の形態に係るプレキャスト合成床版１００と第３の実施の形態に係るプレキャスト合成床版１００Ｂは、デッキプレートの構造において異なる。以下に、プレキャスト合成床版１００Ｂのデッキプレート１Ｂの構成について具体的に説明する。コンクリート構造部１１０の側面部１０３は、係合部２０Ｂの形状に基づいて、他の側面部１０４に沿った一定の角度の部分を有する。
【００４１】
デッキプレート１Ｂは、本体部１０Ｂと、一対の係合部２０Ｂ，３０Ｂとを有する。係合部２０Ｂは、本体部１０Ｂから立ち上がる立設部２１Ｂと、横方向に延びる受容部２２Ｂと、縦方向に膨らむ膨出部２３Ｂと、を有する。立設部２１Ｂは、本体部１０に対してコンクリート構造部１１０の上面部１０２に向かって係合部３０Ｂから離れる方向に側面部１０３に沿って延びている。
【００４２】
受容部２２Ｂは、立設部２１Ｂの先端側に設けられている。受容部２２Ｂは、立設部２１Ｂが本体部１０Ｂに対して折り曲げられた方向とは異なる方向に折り曲げられている。受容部２２Ｂは、立設部２１Ｂに対して略直角を成して側面部１０３から離れる方向に延びている。受容部２２Ｂは、側面部１０３の側から見て凹に形成されている。
【００４３】
膨出部２３Ｂは、受容部２２Ｂの先端から縦方向に湾曲して延びている。プレキャスト合成床版１００Ｂの長手方向Ｌに直交する膨出部２３Ｂの断面形状は、略Ｕ字状である。膨出部２３Ｂは、立設部２１Ｂが本体部１０Ｂに対して折り曲げられた方向と同じ方向に受容部２２Ｂに対して折り曲げられている。膨出部２３Ｂは、先端が側面部１０３を向くように弧をなして延びている。膨出部２３Ｂは、側面部１０３に向かって開口している。
【００４４】
係合部３０Ｂは、側面部１０４の側に位置する。係合部３０Ｂは、側面部１０４に対して所定の間隔Ｓ３をあけて設けられている。係合部３０Ｂは、本体部１０Ｂから立ち上がる立設部３１Ｂと、係合部２０Ｂの受容部２２Ｂに横方向に挿入される挿入部３２Ｂと、縦方向に膨らむ膨出部３３Ｂと、を有する。立設部３１Ｂは、本体部１０Ｂに対してコンクリート構造部１１０の上面部１０２に向かって側面部１０４に沿って延びている。
【００４５】
挿入部３２Ｂは、立設部３１Ｂの先端側に設けられている。挿入部３２Ｂは、立設部３１Ｂが本体部１０に対して折り曲げられた方向と同じ方向に折り曲げられている。挿入部３２Ｂは、立設部３１Ｂに対して鈍角θを成して側面部１０４に向かう方向に延びている。挿入部３２Ｂは、側面部１０４の側から見て凸に形成されている。
【００４６】
膨出部３３Ｂは、挿入部３２Ｂの先端から縦方向に湾曲して延びている。プレキャスト合成床版１００Ｂの長手方向Ｌに直交する膨出部３３Ｂの断面形状は、略Ｕ字状である。膨出部３３Ｂは、立設部３１Ｂが本体部１０Ｂに対して折り曲げられた方向と同じ方向に折り曲げられている。膨出部３３Ｂは、先端が側面部１０４とは反対側に向かって開口している。膨出部３３Ｂは、側面部１０３に向かって開口している。係合部３０Ｂにおいて、膨出部３３Ｂの開口３４Ｂは、係合部２０Ｂ，３０Ｂの係合時に、係合部２０Ｂの膨出部２３Ｂに接触して部分的に膨出部２３Ｂを外側から収容する程度の寸法を有する。
【００４７】
次に、本発明に係るプレキャスト合成床版１００Ｂ同士を連結する方法を説明する。図７は、プレキャスト合成床版１００Ｂ同士を連結する工程を示す図であり、図７（ａ）は梁と梁との間に架け渡されているプレキャスト合成床版１００Ｂに対して、クレーンに吊られた状態にあるプレキャスト合成床版１００Ｂを降下させる図であり、図７（ｂ）は２つのプレキャスト合成床版１００Ｂが連結されて並置された状態を示す図である。新たなプレキャスト合成床版１００Ｂを降下させると、新たなプレキャスト合成床版１００Ｂの側面部１０３は、既設のプレキャスト合成床版１００Ｂの側面部１０４に沿わされて降りてくる。
【００４８】
既設のプレキャスト合成床版１００Ｂに対する新たなプレキャスト合成床版１００Ｂの降下により、係合部２０Ｂの膨出部２３Ｂが円弧をなす部分で他のプレキャスト合成床版１００Ｂの係合部３０Ｂにおける膨出部３３Ｂの先端に接触する。これにより、係合部３０Ｂは、間隔Ｓ３において側面部１０４の側に押される。係合部２０Ｂの膨出部２３Ｂと係合部３０Ｂの膨出部３３Ｂの先端との接触状態が解除されると、係合部３０Ｂは、元の状態に戻ろうとする。これにより、係合部３０Ｂの膨出部３３Ｂがその開口３４Ｂにおいて、係合部２０Ｂの膨出部２３Ｂに外側から嵌まり込む。この状態において、係合部３０Ｂの挿入部３２Ｂは、係合部２０Ｂの受容部２２Ｂに挿入されている。係合部３０Ｂの挿入部３２Ｂは、立設部３１Ｂに対して鈍角θを成しているので、係合部２０Ｂの立設部２１Ｂに対して略直角を成す受容部２２Ｂに対して摩擦を伴って挿入されている。かくして、プレキャスト合成床版１００Ｂ同士の連結が完了する。この作業を所定回数繰り返して幅方向Ｗにプレキャスト合成床版１００Ｂを敷き込んでいく。
【００４９】
以上のような構成のプレキャスト合成床版１００Ｂによれば、第１の実施の形態に係るプレキャスト合成床版１００と同様の効果を奏するだけでなく、他のプレキャスト合成床版１００Ｂにおける係合部３０Ｂが膨出部３３Ｂにおいて、新たなプレキャスト合成床版１００Ｂにおける係合部２０Ｂの膨出部２３Ｂを外側から把持すると共に、係合部３０Ｂの挿入部３２Ｂが係合部２０Ｂの受容部２２Ｂに接触しながら入り込む。これにより、係合部２０Ｂ，３０Ｂの係合時に、係合部２０Ｂ，３０Ｂの膨出部２３Ｂ，３３Ｂは、縦方向の移動を規制し、係合部２０Ｂの受容部２２Ｂへの係合部３０Ｂの挿入部３２Ｂの挿入により、横方向の移動が規制される。
【００５０】
（第４の実施の形態）
図８は、本発明の第２の実施の形態に係るプレキャスト合成床版１００Ｃの構成を説明するための斜視図である。図８（ａ）はデッキプレート１Ｃの一方の係合部２０Ｃを拡大した部分拡大図であり、図８（ｂ）はデッキプレート１Ｃの他方の係合部３０Ｃを拡大した部分拡大図である。第１の実施の形態に係るプレキャスト合成床版１００と第４の実施の形態に係るプレキャスト合成床版１００Ｃは、デッキプレートの構造において異なる。以下に、プレキャスト合成床版１００Ｃのデッキプレート１Ｃの構成について具体的に説明する。コンクリート構造部１１０の側面部１０３は、係合部２０Ｃの形状に基づいて、他の側面部１０４に沿った一定の角度の部分を有する。コンクリート構造部１１０の側面部１０４は、係合部３０Ｃの形状に基づいて、他の側面部１０３に沿った一定の角度の部分を有する。
【００５１】
デッキプレート１Ｃは、本体部１０Ｃと、一対の係合部２０Ｃ，３０Ｃとを有する。係合部２０Ｃは、縦方向に延びる受容部２１Ｃと、係合部３０Ｃに対向する位置に形成された目粗し部２２Ｃと、を有する。受容部２１Ｃは、立設部２３Ｃと、対向部２４Ｃと、を有する。立設部２３Ｃは、本体部１０Ｃに対してコンクリート構造部１１０の上面部１０２に向かって係合部３０Ｃから離れる方向に側面部１０３に沿って延びている。対向部２４Ｃは、立設部２３Ｃが本体部１０に対して折り曲げられた方向とは異なる方向に折り曲げられている。対向部２４Ｃは、本体部１０Ｃとは反対側の立設部２３Ｃの端部から本体部１０に向かって丸味を帯びて延びている。
【００５２】
対向部２４Ｃは、立設部２３Ｃに対して所定の間隔をあけて対向して延びている。対向部２４Ｃは、立設部２３Ｃに対して弾性的に接近自在に構成されている。対向部２４Ｃは、その先端に目粗し部２２Ｃを有する。目粗し部２２Ｃは、立設部２３Ｃに面する対向部２４Ｃの面に形成されている。目粗し部２２Ｃは、立設部２３Ｃに面する対向部２４Ｃの面を細かく傷つけること等により形成されている。なお、目粗し部２２Ｃは、接触する対象物との間で摩擦係数を高める構成であればこれに限定されず、例えば複数の溝を形成してもよく、また、ゴムなどの別部材を貼り付けてもよい。
【００５３】
係合部３０Ｃは、側面部１０４の側に位置する。係合部３０Ｃは、先端部において側面部１０４に対して所定の間隔Ｓ４をあけて設けられている。係合部３０Ｃは、本体部１０Ｃから立ち上がる立設部３１Ｃと、受容部２１Ｃに縦方向に挿入される挿入部３２Ｃと、目粗し部２２Ｃに対向する位置に形成された目粗し部３３Ｃと、を有する。
【００５４】
立設部３１Ｃは、本体部１０Ｃに対してコンクリート構造部１１０の上面部１０２に向かって側面部１０４に沿って延びている。立設部３１Ｃは、本体部１０から所定の長さに亘って側面部１０４と接している。挿入部３２Ｃは、係合部３０Ｃにおいて、立設部３１Ｃの先端に位置し、側面部１０４との間に所定の間隔Ｓ４をあけている。目粗し部３３Ｃは、挿入部３２Ｃの側面部１０４に面する面に形成されている。目粗し部３３Ｃは、側面部１０４に面する挿入部３２Ｃの面を細かく傷つけること等により形成されている。なお、目粗し部３３Ｃは、接触する対象物との間で摩擦係数を高める構成であればこれに限定されず、例えば複数の溝を形成してもよく、また、ゴムなどの別部材を貼り付けてもよい。
【００５５】
次に、本発明に係るプレキャスト合成床版１００Ｃ同士を連結する方法を説明する。図９は、プレキャスト合成床版１００Ｃ同士を連結する工程を示す図である。新たなプレキャスト合成床版１００Ｃを降下させると、新たなプレキャスト合成床版１００Ｃの側面部１０３は、既設のプレキャスト合成床版１００Ｃの側面部１０４に沿わされて降りてくる。
【００５６】
既設のプレキャスト合成床版１００Ｃに対する新たなプレキャスト合成床版１００Ｃの降下により、他のプレキャスト合成床版１００Ｃにおける係合部３０Ｃの挿入部３２Ｃが係合部２０Ｃの立設部２３Ｃと対向部２４Ｃとの間で受容部２１Ｃに挿入される。係合部２０Ｃの受容部２１Ｃ内への挿入部３２Ｃの挿入完了時には、係合部２０Ｃの目粗し部２２Ｃと、係合部３０Ｃの目粗し部３３Ｃとが接触している。これにより、プレキャスト合成床版１００Ｃ同士の連結が完了する。この作業を所定回数繰り返して幅方向Ｗにプレキャスト合成床版１００Ｃを敷き込んでいく。
【００５７】
以上のような構成のプレキャスト合成床版１００Ｃによれば、第１の実施の形態に係るプレキャスト合成床版１００と同様の効果を奏するだけでなく、係合部２０Ｃと係合部３０Ｃとの間の摩擦係数が目粗し部２２Ｃ，３３Ｃにより高められており、プレキャスト合成床版１００Ｃ同士の連結がより強固になる。係合部２０Ｃ，３０Ｃの係合時に、係合部２０Ｃの対向部２４Ｃと係合部３０Ｃの挿入部３２Ｃとの接触により、横方向の移動が規制され、係合部２０Ｃ，３０Ｃの目粗し部２２Ｃ，３３Ｃ同士の接触により、縦方向の移動が規制される。
【００５８】
なお、係合部２０Ｃにおいて目粗し部２２Ｃは、立設部２３Ｃに形成されていてもよく、また、係合部３０Ｃにおいて目粗し部３３Ｃは、側面部１０４とは反対側に面する面に形成されていてもよい。
【００５９】
以上、本発明の好適な実施の形態について説明したが、本発明は上記の実施の形態に限定されるものではなく、本発明の概念及び特許請求の範囲に含まれるあらゆる態様を含む。また、上述した課題及び効果の少なくとも一部を奏するように、各構成を適宜選択的に組み合わせてもよい。また、例えば、上記実施の形態における各構成要素の形状、材料、配置、サイズ等は、本発明の具体的使用態様によって適宜変更され得る。
【符号の説明】
【００６０】
１００，１００Ａ，１００Ｂ，１００Ｃ  プレキャスト合成床版
１１０  コンクリート構造部
１，１Ａ，１Ｂ，１Ｃ  デッキプレート
１０  本体部
１１，１２  縁部
２０，２０Ａ，２０Ｂ，２０Ｃ  係合部（第１係合部）
２１Ａ，２２Ｂ，２１Ｃ  受容部
２２Ａ，２３Ｂ  膨出部
２２Ｃ  目粗し部
３０，３０Ａ，３０Ｂ，３０Ｃ  係合部（第２係合部）
３２Ａ，３３Ｂ  膨出部
３３Ａ，３２Ｂ，３２Ｃ  挿入部
３３Ｃ  目粗し部
【図１】
2020186569.tif 000003
【図２】
2020186569.tif 000004
【図３】
2020186569.tif 000005
【図４】
2020186569.tif 000006
【図５】
2020186569.tif 000007
【図６】
2020186569.tif 000008
【図７】
2020186569.tif 000009
【図８】
2020186569.tif 000010
【図９】
2020186569.tif 000011